(57)【要約】【課題】本発明は、電気接続箱１への水滴や塵等の液体が浸入するのを防止できる電気接続箱１を提供する。【解決手段】箱本体２と、前記箱本体２に設けられかつワイヤハーネス９を貫通させる筒状の通し部６と、前記通し部６に設けられかつ前記ワイヤハーネス９を前記通し部６の内面のうちの一部に近付けて固定する第一固定部１０と、前記通し部６に設けられかつ前記ワイヤハーネス９を前記通し部６の内面のうちの前記一部と相対する他の一部に近づけて固定する第二固定部１１と、を備えて、箱本体２の内部から通し部６を貫通させてワイヤハーネス９の端末を外部に導く電気接続箱１において、箱本体２の内部に水滴や塵等の液体が浸入するのを防止できる。【選択図】図１
2010028986.tif 000002
【特許請求の範囲】
【請求項１】
箱本体と、
前記箱本体に設けられかつワイヤハーネスを貫通させる筒状の通し部と、
前記通し部に設けられかつ前記ワイヤハーネスを前記通し部の内面のうちの一部に近付けて固定する第一固定部と、
前記通し部に設けられかつ前記ワイヤハーネスを前記通し部の内面のうちの前記一部と相対する他の一部に近づけて固定する第二固定部と、
を備えたことを特徴とする電気接続箱。
【請求項２】
前記筒状の通し部は、前記通し部の中心軸を挟む半筒状の二部材で分割組立可能に構成された、前記第一固定部を有する第一部材と、
前記第二固定部を有する第二部材と、
を備えたことを特徴とする請求項１記載の電気接続箱。
【請求項３】
前記第二部材の先端部に設けられかつ、前記第二固定部を備えている板状の張出部を、
備えたことを特徴とする請求項２記載の電気接続箱。
【発明の詳細な説明】
【技術分野】
【０００１】
本発明は、移動体としての自動車などに搭載される電気接続箱に関する。
【背景技術】
【０００２】
移動体としての自動車には、一般に、ヘッドランプ及びテールランプなどのランプ類、スタータモータ及びエアコンディショナ用のモータ等、などの多種多様な電子機器が搭載されている。
【０００３】
前述した多種多様な電子機器に電力や所望の信号を供給するために、前記自動車は、ジャンクションブロックを適宜箇所に配置してきた。前記ジャンクションブロックは、多数のヒューズやリレー等の各種の電気回路ユニットを集約して構成されている。
【０００４】
なお、ジャンクションブロックは、ヒューズ、リレー、ブスバーなどを有することもあることから、ヒューズブロック、リレーボックス、又は総称して電気接続箱とも呼ばれる。本明細書では、前述したヒューズブロック、リレーボックス、ジャンクションブロックを、総称して以下、電気接続箱と呼ぶ。
【０００５】
前述した電気接続箱（たとえば、特許文献１参照）は、箱本体内に配線盤を収容し、箱本体に所望の電気部品を装着し、さらに箱本体にワイヤハーネスのコネクタを嵌合させて、組み立てられる。電気接続箱は、電源などから供給される電源からの電力や各種の信号を、ヒュージブルリンクなどの電気部品、ワイヤハーネスの電線などを介して、自動車に搭載される前述した各種の電子機器に供給する。
【特許文献１】特開平８−３２２１２８号公報
【発明の開示】
【発明が解決しようとする課題】
【０００６】
ところで、前述した電気接続箱は、多種多様な車種の自動車に搭載されることが考えられる。このため、自動車の車種が異なると前述したワイヤハーネスを構成する電線の本数が異なることが考えられる。即ち、自動車の車種が異なると前述したワイヤハーネスの太さが異なることが考えられる。
【０００７】
このため、箱本体から突出して設けられ、ワイヤハーネスを貫通させる筒状の通し部が、最も太いワイヤハーネスの外径に対応する必要が生じる。
【０００８】
前述した最も太いワイヤハーネスの外径に対応した通し部に、細いワイヤハーネスを通すと、通し部の開口部とワイヤハーネスの外周との間の隙間スペースが大きくなるため、水滴や塵等が電気接続箱の内部に浸入しやすくなり望ましくない。また、ワイヤハーネスが、通し部の内側で移動して、ワイヤハーネスと通し部の内側と、接触と離間を繰り返して、ワイヤハーネスが破損する虞が考えられる。
【０００９】
したがって、本発明の目的は、箱本体の内部から通し部を通してワイヤハーネスの端末を外部に導く電気接続箱において、ワイヤハーネスの外径が太い場合でも、細い場合でも、ワイヤハーネスを通し部に確実に固定することができ、かつ、箱本体の内部に水滴や塵等の液体が浸入するのを防止することができる電気接続箱を提供することにある。
【課題を解決するための手段】
【００１０】
請求項１に記載の本発明の電機接続箱は、箱本体と、前記箱本体に設けられかつワイヤハーネスを貫通させる筒状の通し部と、前記通し部に設けられかつ前記ワイヤハーネスを前記通し部の内面のうちの一部に近付けて固定する第一固定部と、前記通し部に設けられかつ前記ワイヤハーネスを前記通し部の内面のうちの前記一部と相対する他の一部に近づけて固定する第二固定部と、を備えたことを特徴としている。
【００１１】
請求項２に記載の本発明の電気接続箱は、請求項１において、前記筒状の通し部は、前記通し部の中心軸を挟む半筒状の二部材で分割組立可能に構成された、前記第一固定部を有する第一部材と、前記第二固定部を有する第二部材と、を備えたことを特徴としている。
【００１２】
請求項３に記載の本発明の電気接続箱は、請求項２において、前記第二部材の先端部に設けられかつ、前記第二固定部を備えている板状の張出部を、備えたことを特徴としている。
【発明の効果】
【００１３】
以上説明したように請求項１に記載の本発明によれば、箱本体と、前記箱本体に設けられかつワイヤハーネスを貫通させる筒状の通し部と、前記通し部に設けられかつ前記ワイヤハーネスを前記通し部の内面のうちの一部に近付けて固定する第一固定部と、前記通し部に設けられかつ前記ワイヤハーネスを前記通し部の内面のうちの前記一部と相対する他の一部に近づけて固定する第二固定部と、を備えることにより、ワイヤハーネスが通し部の内側でＳ字状になるように曲げて配索されることにより、通し部の筒部の径方向に沿った断面において、ワイヤハーネスがない部分が小さくなり、通し部の開口部とワイヤハーネスの外周との間の隙間スペースが小さくなるため、隙間スペースからの水滴や塵等が電気接続箱の内部への浸入が防止され、防水・防塵性が向上する。
【００１４】
また、前述した理由により、通し部の開口部とワイヤハーネスの外周との間の隙間スペースが小さくなるため、隙間スペースから水滴や塵等が電気接続箱の内部に浸入するのを防ぐことを、パッキン等の別部材を使用せずに実施することができる。このため部品点数の削減、及び、組立工数の削減を削減することができ組付作業性が向上する。
【００１５】
また、ワイヤハーネスの外径は、自動車の車種が異なることにより、ワイヤハーネスを構成する電線の本数が異なるため、通し部の外径もワイヤハーネスの外径に合わせて対応してきた。しかしながら、請求項１に記載の電気接続箱は、通し部の開口部とワイヤハーネスの外周との間の隙間スペースに関係なく、水滴や塵等が電気接続箱の内部へ浸入するのを防止することができる。このため、太さの異なるワイヤハーネスの外径であっても、共通の通し部を有する電気接続箱を使用することができるため、コストを削減することができる。
【００１６】
また、通し部に設けられた第一固定部と第二固定部が、ワイヤハーネスを複数個所固定することにより、ワイヤハーネスを通し部に確実に固定することができる。
【００１７】
請求項２に記載の本発明によれば、通し部を二部材で構成することにより、電気接続箱を組み立てる工程で、ワイヤハーネスを通し部の第二固定部に固定することが容易になり、組付作業性が向上する。
【００１８】
請求項３に記載の本発明によれば、第一部材に張出部を設け、張出部に第一固定部を設けることにより、ワイヤハーネスと通し部を固定することが容易になり、組付作業性が向上する。
【発明を実施するための最良の形態】
【００１９】
以下、本発明の一実施形態にかかる電気接続箱１を、図１ないし図５を参照して説明する。図１は、本発明の実施形態にかかる電気接続箱１の斜視図である。図２は、図１に示された電気接続箱１の要部を示す斜視図である。図３は、図２に示された電機接続箱１を矢印Ａ方向から見た図である。図４は、電気接続箱１の組立方法を説明するための説明図であり、箱本体２に取り付けられた第二部材８にワイヤハーネス９を固定させた状態の図である。図５は、電気接続箱１の組立方法を説明するための説明図であり、図４に示された状態の第二部材８に第一部材７を取り付けた状態の図である。本発明の実施形態にかかる図１に示す電気接続箱１は、移動体としての自動車に搭載される。
【００２０】
この電気接続箱１は、箱本体２と、図示しない配線盤と、ワイヤハーネス９と、通し部６と、通し部６に設けられた張出部７５と、ワイヤハーネス９と通し部６とを固定する第一固定部１０と、第二固定部１１などを備えている。
【００２１】
箱本体２は、合成樹脂製のアッパーカバー３と、メインカバー４と、ロアカバー５とを備えている。箱本体２は、絶縁性の合成樹脂からなり、周知の射出成形により成形される。メインカバー４内に装着された各種電気部品やコネクタ等から導出される各電線（ワイヤハーネス９）は、通し部６を経て外部に導出されている。
【００２２】
ワイヤハーネス９は、複数の電線と、該電線の端部などに取り付けられたコネクタとを備えている。前記コネクタは、前述した自動車に搭載される各種の電子機器が嵌合する。
【００２３】
図示しない配線盤は、導電性のバスバと、絶縁板などを備えている。バスバは、導電性の板金に打ち抜き加工などのプレス加工が施されて得られる。複数のバスバは、互いに重ねられている。絶縁板は、互いに重ねられたバスバ間などに配され、バスバ同士が意図しない箇所で相互に電気的に接続すること即ち短絡することを防止するとともに、バスバを位置決めしている。
【００２４】
アッパーカバー３は、メインカバー４を覆うように形成されている。アッパーカバー３は、係止部３１を備えている。係止部３１は、後述するメインカバー４の係合部４４と係止可能に形成されている。
【００２５】
メインカバー４は、側壁４０を有する外周壁４１と、係合部４４と、一対の係止部４３と、開口部４２と、係合部４６とを備えている。メインカバー４は複数の側壁４０からなる外周壁４１により筒状に形成されている。外周壁４１上に形成された係合部４４は、アッパーカバー３の係止部３１を係止する。係止部４３は、メインカバー４の側壁４０に突出形成された係止片であり、後述する第一部材７に設けられた枠状の係合部７３と係止可能に設けられている。開口部４２は、側壁４０の端部に設けられた略矩形の切欠きであり、後述する第一部材７の基部７１及び第二部材８の基部８１がはめ込まれる。
【００２６】
ロアカバー５はメインカバー４を覆うように形成されている。ロアカバー５は、係止部５５を備えている。係止部５５は、メインカバー４の係合部４６を係止する。
【００２７】
通し部６は、メインカバー４の側壁４０から突出して設けられ、ワイヤハーネス９を貫通させる筒状を形成している。箱本体２の内部空間は、通し部６を介して外部空間と連通している。通し部６は、該通し部６の中心軸を挟む、半筒状の二部材で分割組立可能に構成されている。通し部６は、第一部材７と、第二部材８とを備えている。通し部６は、半筒形状の第一部材７と、半筒形状の第二部材８の縁同士が重なることによって、円筒状の通し部６を形成し、通し部６の内側にワイヤハーネス９を配索させる。
【００２８】
第一部材７は、第一本体部７０と、基部７１と、張出部７５と、係合部７３と、を備えている。第一本体部７０は、半円筒形状である。基部７１は、第一本体部７０の一方の端部からつば状に形成されている。張出部７５は、第一本体部７０の他方の先端部に張り出して板状に形成されている。張出部７５は、基部７１から離れる方向に伸びていて、離れるにしたがって、幅が細く形成されている。基部７１は、メインカバー４の開口部４２に組付けられる。基部７１が開口部４２に組付けられると同時に、メインカバー４に設けられた一対に枠状の係合部７３は、メインカバー４の係止部４３を係止する。そして、第一部材７は、メインカバー４の側壁４０に一体に形成される。
【００２９】
第一本体部７０は、ロック受部７２を備えている。ロック受部７２は第一本体部７０を貫通した孔である。ロック受部７２は後述する第二部材８のロック部８５を係止可能に設けられている。ロック部８５がロック受部７２を係止することによって、第一部材７と第二部材８が互いに組付けられる。
【００３０】
張出部７５は、第一固定部１０を備えている。第一固定部１０は、結束部材と、結束部材とワイヤハーネス９との接触部１０ａと、を備えている。第一固定部１０は、ワイヤハーネス９と、第一部材７とを固定する。結束部材は、テープＢである。接触部１０ａは、張出部７５と、ワイヤハーネス９との接触部である。図３に示すように、接触部１０ａは、後述する、第二部材の接触部１１ａと通し部６の中心をはさみ相対する位置に設けられている。ワイヤハーネス９が第一固定部に近付けられて接触部１０ａに接触し、テープＢがワイヤハーネス９に廻旋し、ワイヤハーネス９が第一部材８に固定される。
【００３１】
第二部材８は、第二本体部８０と、基部８１、ロック部８５と、を備えている。第二本体部８０は、半円筒形状である。基部８１は、第二本体部８０の端部からつば状に形成されている。基部８１は、メインカバー４の開口部４２に組付けられる。ロック部８５はロック受部７２を係止することにより、第一部材７と第二部材８とを互いに組付ける。これにより、第一部材７と第二部材８は円筒状の通し部６が形成される。
【００３２】
第二本体部８０は、第二固定部１１を備えている。第二固定部１１は、結束部材と、結束部材とワイヤハーネス９との接触部１１ａと、孔８２と、を備えている。第二固定部１１は、ワイヤハーネス９と、第二部材８とを固定する。結束部材は、結束バンドＣである。結束バンドＣは、ロック部Ｃ１を備えている。接触部１１ａは、第二部材８の内面と、ワイヤハーネス９との接触部である。孔８２は、第二部材８を貫通している。孔８２は第二部材８の中心を挟み一対に設けられている。孔８２の一方は、外側から内側に結束バンドＣの端部を通す。次に、結束バンドＣの端部が、ワイヤハーネス９を廻旋し、他方の孔８２を内側から外側に通る。次に、結束バンドＣのロック部Ｃ１は、結束バンドＣの端部を通す。これにより、結束バンドＣがワイヤハーネス９と第二部材８とを廻旋固定する。
【００３３】
以上説明した構成の電気接続箱１の組立手順について説明する。まず、ワイヤハーネス９がメインカバー４の開口部４２から導出される。次に、第二部材８が、メインカバー４に組付けられると同時に、ワイヤハーネス９が、半筒形状の第二部材８の内側に配置される。
【００３４】
次に、図４に示すように、結束バンドＣの端部が、第二部材８に設けられた一方の孔８２の外側から内側を通る。次に、結束バンドＣが、ワイヤハーネス９を廻旋し、他方の孔８２の内側から外側を通る。そして、結束バンドＣの端部が、結束バンドＣのロック部Ｃ１を係止する。そして、結束バンドＣがワイヤハーネス９と第二部材８とを固定する。
【００３５】
次に、アッパーカバー３がメインカバー４の上に取りつけられる。このとき、アッパーカバー３の係止部３１が、メインカバー４の係合部４４を係止する。次に、ロアカバー５がメインカバー４の下に取りつけられる。このとき、ロアカバー５の係止部５５が、メインカバー４の係合部４６を係止する。
【００３６】
次に、第一部材７がメインカバー４に取り付けられる。図５に示すように、第一部材７が、先に取り付けられた第二部材８の縁と第一部材７の縁同士を合わせるように位置付けると同時に、第二部材のロック部８５が第一部材のロック受部７２を係止する。それと同時に、第一部材７の枠状の係合部７６が、メインカバー４の係止部４３に被せるように、上からはめ込まれる。メインカバー４の開口部４２は、第一部材７と第二部材によって塞がれる。これにより、円筒状の通し部６が完成し箱本体２に一体に形成される。最後に、ワイヤハーネス９が、第一固定部１０に近付いて、接触部１０ａに接触する。次に、テープＢが、第一固定部１０とワイヤハーネス９を廻旋固定する。そして、テープＢがワイヤハーネス９と第一部材８とを固定する。以上で電気接続箱１が組み立てられる。
【００３７】
以上に説明したように、本発明の一実施形態にかかる電気接続箱１によれば、箱本体２と、前記箱本体２に設けられかつワイヤハーネス９を貫通させる筒状の通し部６と、前記通し部６に設けられかつ前記ワイヤハーネス９を前記通し部６の内面のうちの一部に近付けて固定する第一固定部１０と、前記通し部６に設けられかつ前記ワイヤハーネス９を前記通し部６の内面のうちの前記一部と相対する他の一部に近づけて固定する第二固定部１１と、を備えることにより、図３に示すように、ワイヤハーネス９が通し部６の内側でＳ字状になるように曲げて配索することにより、通し部の筒部の径方向に沿った断面において、ワイヤハーネス９がない部分が小さくなり、通し部６の開口部とワイヤハーネスの外周との間の隙間スペースが小さくなるため、隙間スペースからの水滴や塵等が電気接続箱１の内部への浸入が防止され、防水・防塵性が向上する。
【００３８】
また、前述した理由により、通し部６の開口部とワイヤハーネス９の外周との間の隙間スペースが小さくなるため、隙間スペースから水滴や塵等が電気接続箱１の内部に浸入するのを防ぐことを、パッキン等の別部材を使用せずに実施することができる。このため部品点数の削減、及び、組立工数の削減を削減することができ組付作業性が向上する。
【００３９】
また、通し部６に設けられた第一固定部１０と第二固定部１１とが、ワイヤハーネス９を複数個所固定することにより、ワイヤハーネス９を通し部６に確実に固定することができる。
【００４０】
また、通し部６を二部材で構成することにより、電気接続箱１を組み立てる工程で、ワイヤハーネス９を通し部６の第二固定部１１に固定することが容易になり、組付作業性が向上する。
【００４１】
また、第一部材７に張出部７５を設け、張出部７５に第一固定部１０を設けることにより、ワイヤハーネス９と通し部６とを固定することが容易になり、組付作業性が向上する。
【００４２】
なお、本発明の一実施形態にかかる電気接続箱１によれば、第一固定部１０の結束部材にテープＢを使用しているが、結束バンドＣを用いてもよい。また、本発明の一実施形態にかかる電気接続箱１によれば、箱本体２は、アッパーカバー３と、メインカバー４と、ロアカバー５とを備えているが、少なくともメインカバー４を備えていればよい。前述した実施形態は本発明の代表的な形態を示したに過ぎず、本発明は、実施形態に限定されるものではない。すなわち、本発明の骨子を逸脱しない範囲で種々変形して実施することができる。
【図面の簡単な説明】
【００４３】
【図１】本発明の一実施形態に係る電気接続箱の一形態を示す斜視図である。
【図２】図１に示された電気接続箱の要部を示す斜視図である。
【図３】図２に示された電気接続箱を矢印Ａ方向から見た断面図である。
【図４】電気接続箱の組立方法を説明するための説明図であり、箱本体に取り付けられた第二部材にワイヤハーネスを固定させた状態の図である。
【図５】電気接続箱の組立方法を説明するための説明図であり、図４に示された状態の第二部材に第一部材を取り付けた状態の図である。
【符号の説明】
【００４４】
１  電気接続箱
２  箱本体
６  通し部
７  第一部材
８  第二部材
９  ワイヤハーネス
１０  第一固定部
１１  第二固定部
７５  張出部
【図１】
2010028986.tif 000003
【図２】
2010028986.tif 000004
【図３】
2010028986.tif 000005
【図４】
2010028986.tif 000006
【図５】
2010028986.tif 000007